(57)【要約】【課題】非接触型の充電を簡易に効率的に行い且つ充電器及び被充電器の低コスト化を図ること。【解決手段】充電システムは、受電アンテナを介して得られた電力で充電される二次電池を有する被充電器と、複数の給電アンテナを有する充電器とを有する。充電器は、受電アンテナの位置情報を被充電器から取得する手段と、受電アンテナの位置に応じて、複数の給電アンテナの中から少なくとも１つを選択する手段と、選択された給電アンテナを用いて被充電器への給電を行う手段とを有する。【選択図】図１
2008312294.tif 000002
【特許請求の範囲】
【請求項１】
非接触方式で充電が行われる充電システムであって、
受電アンテナを介して得られた電力で充電される二次電池を有する被充電器と、
複数の給電アンテナを有する充電器と、
を有し、前記充電器は、
前記受電アンテナの位置情報を前記被充電器から取得する手段と、
前記受電アンテナの位置に応じて、前記複数の給電アンテナの中から少なくとも１つを選択する手段と、
選択された給電アンテナを用いて前記被充電器への給電を行う手段と、
を有する充電システム。
【請求項２】
非接触方式で充電を行うための充電方法であって、
被充電器の受電アンテナの位置情報が前記被充電器から充電器に通知されるステップと、
前記受電アンテナの位置に応じて、前記充電器に備わる複数の給電アンテナの中から少なくとも１つが選択されるステップと、
選択された給電アンテナを介して前記被充電器への給電が行われるステップと、
を有する充電方法。
【請求項３】
非接触方式で充電を行う充電器であって、
複数の給電アンテナと、
被充電器の受電アンテナの位置情報を前記被充電器から取得する手段と、
前記受電アンテナの位置に応じて、前記複数の給電アンテナの中から少なくとも１つを選択する手段と、
選択された給電アンテナを用いて前記被充電器への給電を行う手段と、
を有する充電器。
【請求項４】
充電中に前記被充電器を載せる搭載面の法線が、鉛直線と非平行である請求項３記載の充電器。
【請求項５】
充電に要する充電所要時間が前記被充電器から通知され、前記被充電器への給電は前記充電所要時間内に行われる請求項３記載の充電器。
【請求項６】
給電アンテナの開口面積より広い開口面積を有する通信用コイルアンテナを更に備える請求項３記載の充電器。
【請求項７】
非接触方式で充電が行われる被充電器であって、
受電アンテナと、
前記受電アンテナの位置情報を充電器に無線で通知する手段と、
再充電可能な二次電池と、
を有し、前記二次電池は、前記充電器に備わる複数の給電アンテナの内前記受電アンテナの位置に応じて前記充電器で選択された少なくとも１つの給電アンテナと前記受電アンテナとを介して得られた電力で充電される被充電器。
【請求項８】
当該被充電器の動作モードに、充電が行われる充電モードと、無線通信が行われる通信モードとが用意され、前記充電器からの指示に応じて動作モードが切り替えられる請求項７記載の被充電器。
【請求項９】
前記二次電池の電池残量に応じて充電に要する充電所要時間を計算する手段を更に有し、前記充電所要時間が前記充電器に通知される請求項７記載の被充電器。
【発明の詳細な説明】
【技術分野】
【０００１】
本発明は充電器、被充電器、充電システム及び方法に関する。
【背景技術】
【０００２】
一般に充電方式には接触型充電と非接触型充電がある。接触型充電では、充電器と被充電器が物理的に接続され、充電が行われる。充電器等の接続端子の寸法や間隔等は機種によって様々に異なるので、この方式では被充電器の機種毎に充電器が用意されなければならず、充電器の汎用性の観点からは好ましくない。非接触型充電では、そのような物理的な接続は不要である。電磁誘導を介して電力が被充電器に給電されるからである。非接触型の充電を行うことで、充電器の共通化を図ることについては、特許文献１に記載されている。
【特許文献１】特開２００６−３２００４７号公報
【発明の開示】
【発明が解決しようとする課題】
【０００３】
非接触型充電では、充電器側の充電用コイル(給電アンテナ)から発生する磁界(磁束)のうち、被充電器の充電用コイル(受電アンテナ)を貫く磁束が多いほど充電効率は良い。換言すれば充電器から発生する磁束の内、非充電器の充電用コイルから洩れるものが少ないほど充電効率は良い。
【０００４】
一方、受電アンテナの物理的な位置、形状及びサイズ等は機種毎に異なるのが一般的である。従って充電効率の観点からは、充電器及び被充電器の位置を機種毎に正しく設定した上で充電を行うことが望ましい。そうでなければ充電効率が悪化し、例えば充電時間の長期化等を招いてしまう。
【０００５】
他方、充電及び非接触通信に共用できるアンテナの物理的な位置を何らかの標準規格で統一することも理論上考えられるかもしれないが、実用的ではない。また、非接触通信用アンテナとは別に、充電に専用のアンテナを被充電器に統一的に用意し、充電を常に高効率に行うようにすることも考えられる。しかしながらそのようにすると、被充電器の大型化、高コスト化等を招いてしまう。
【０００６】
本発明の課題は、非接触型の充電を簡易に効率的に行い且つ充電器及び被充電器の低コスト化を図ることである。
【課題を解決するための手段】
【０００７】
本発明では、非接触方式で充電が行われる充電システムが使用される。充電システムは、受電アンテナを介して得られた電力で充電される二次電池を有する被充電器と、複数の給電アンテナを有する充電器とを有する。前記充電器は、前記受電アンテナの位置情報を前記被充電器から取得する手段と、前記受電アンテナの位置に応じて、前記複数の給電アンテナの中から少なくとも１つを選択する手段と、選択された給電アンテナを用いて前記被充電器への給電を行う手段とを有する。
【発明の効果】
【０００８】
本発明によれば、非接触型の充電を簡易に効率的に行い且つ充電器及び被充電器の低コスト化を図ることができる。
【発明を実施するための最良の形態】
【０００９】
本発明の一形態では、被充電器の受電アンテナの位置情報に基づいて、充電器は複数の給電アンテナの内適切なものを１つ以上選択し、選択された給電アンテナを介して充電が行われる。選択されなかった給電アンテナは、その被充電器に対する充電には使用されない。複数の給電アンテナの内、被充電器の受電アンテナと適切に相互作用する給電アンテナのみが充電に使用されるので、本形態は、充電器で発生する磁界の洩れを少なくする観点から好ましい。受電アンテナの位置情報は、被充電器から充電器に必要に応じて通知されるので、この形態は、受電アンテナと給電アンテナの位置を簡易且つ低コストに合わせる観点からも好ましい。
【００１０】
充電中に被充電器を載せる搭載面の法線は、鉛直線と非平行であってもよい。この場合、被充電器は搭載面上を滑り、充電器の特定の側又は場所に来るようになる。従って搭載面を傾斜させることは、被充電器の位置合わせを簡易に行う観点から好ましい。
【００１１】
充電が行われる充電モードと、何らかの情報の無線通信が行われる通信モードとが用意され、充電器からの指示に応じて動作モードが切り替えられてもよい。通信モードでは比較的多くの電力が消費されるが、充電モード時には、無線部(ＲＦ部)やＳＡＭ部等への電力供給は中断される。このように動作モードを切り換えることは、消費電力を節約しながら充電効率を向上させる観点から好ましい。
【００１２】
過充電を防止する観点からは、充電に要する充電所要時間が被充電器から充電器に通知され、被充電器への給電がその充電所要時間内に行われることが好ましい。
【００１３】
広い範囲で非接触通信を行えるようにする一方、充電を高効率に行う観点からは、充電器には開口面積の大きな非接触通信用アンテナと、開口面積の小さな給電アンテナとを別々に用意し、動作モードに応じてそれらが切り替えられることが好ましい。
【実施例１】
【００１４】
以下、本発明の一実施例が各図を用いて説明される。説明の便宜上、充電される対象（被充電器）は携帯電話機であるとするが、再充電可能な二次電池を有する適切な如何なる装置が被充電器になってよい。  
図１は本発明の一実施例で使用される充電システムの概要を示す。図１には、被充電器である携帯電話機と、携帯電話機を載せる搭載面を有する充電器の一部分とが示されている。充電器側には複数の給電アンテナのアレイが備わっており、各給電アンテナはコイル状の形状を有する。
【００１５】
図２Ａは、図１に示されている部分をマイナスＺ軸側から見た底面図を示す。図示の例では、３行５列に整列した１５個の給電アンテナと、それらを囲む１つの非接触通信用アンテナとが見える。言い換えれば、開口面積の小さな多数の給電アンテナと開口面積の大きな非接触通信用アンテナとが用意されている。後述するように、本実施例では、非接触通信用アンテナを介して受電アンテナの位置情報が充電器に通知される。そしてこれら１５個の給電アンテナの内、携帯電話機の受電アンテナの位置に適合する１つ以上の給電アンテナが選択され、その給電アンテナのみを介して充電が行われる。給電アンテナも非接触通信用アンテナも或る開口面積を有するコイル状のアンテナである。開口面積が大きいと、遠方まで通信可能になるが、磁束の洩れが大きくなりやすい。逆に、開口面積が小さいと、近距離でしか通信できないが、充電器で発生した磁束は洩れにくい。このため、アンテナの位置情報の通信には開口面積の大きな非接触通信用アンテナが使用され、充電には開口面積の小さな給電アンテナの内、選択されたもののみが使用される。選択されなかった給電アンテナは、この携帯電話機の充電には使用されない。
【００１６】
図２Ｂは、携帯電話機を載せる搭載面と各座標軸(Ｘ，Ｙ，Ｚ軸)との位置関係を示す。本実施例では、搭載面は或る平面で規定され、搭載面はＸ軸に対して僅かに傾斜しており、Ｙ軸に対しても僅かに傾斜している。いずれにせよ、搭載面の法線ｎはＺ軸と非平行な関係になる。例えば、X-Y面が水平面であったとすると、搭載面の法線ｎは、重力の働く鉛直線と非平行な位置関係になる。このように搭載面を傾斜させることは、充電中に、携帯電話機を原点側に簡易に位置合わせする観点から好ましい。図示の例では搭載面はX軸に対して傾斜角αをなし、Y軸に対して傾斜角βをなす。傾斜角α及びβは等しくてもよいし、異なっていてもよい。携帯電話機をX軸又はY軸の一方に寄せる観点からは、傾斜角α及びβの一方はゼロでもよい。携帯電話機を例えば原点のような特定の場所に寄せる観点からは、α及びβは共にゼロでない有意の値であることが望ましい。
【００１７】
図３は本発明の一実施例による充電システムの機能ブロック図を示す。充電システムは被充電器と充電器とを含む。被充電器は、例えば携帯電話機であり、非接触通信／充電共用アンテナ３０２、充電／通信切り替えスイッチ３０４、非接触通信チップ３０６、携帯機器制御部３０８、LEDバイブレータ３１０、整流器３１２、充電回路３１４及び二次電池３１６を含む。
【００１８】
非接触通信／充電共用アンテナ３０２は、何らかの情報を通信する非接触通信に使用されるアンテナであることに加えて、充電の際に「受電アンテナ」としても機能する。受電アンテナの物理的な位置は携帯電話機の機種毎に異なるのが一般的である。アンテナは非接触通信及び充電に共用可能であってもよいし、別個に用意されてもよい。装置構成の小型化の観点からは、アンテナは共用アンテナであることが好ましい。
【００１９】
充電／通信切り替えスイッチ３０４は、充電モード及び非充電モード(非接触通信モード)を切り替えることで、アンテナ３０２を非接触通信チップ３０６に又は整流器３１２に接続する。切り替えは、携帯機器制御部３０８からの指示に応じてなされる。この指示は典型的には充電器側に起因するが、それだけでなく、ユーザやオペレータの操作に起因してもよい。動作モードの切り替えは、機械的に又は電気的に行われてもよいし、ソフトウエアで又はハードウエアで行われてもよいし、それらの組み合わせで行われてもよい。例えば、洩れ電流を確実に減らす観点からは、マイクロエレクトロメカニカルシステム(MEMS)による機械的なスイッチで切り替えられることが好ましい。また、部品の長寿命化の観点からは、電界効果トランジスタ(FET)等による電気的なスイッチで切り替えられることが好ましい。パラメータ設定内容の柔軟性を大きく確保する観点からは、ソフトウエア的な切り替えが好ましい。
【００２０】
非接触通信チップ３０６は、非接触通信を行うための集積回路を表し、RF部、SAM部（Secure  Application  Module）及びメモリ部等を有する。メモリ部には被充電器の情報（被充電器情報）が記憶される。
【００２１】
携帯機器制御部３０８は、充電器からモード切替信号を受信したことに応じて、携帯電話機の動作モードを切り替える信号を充電／通信切り替えスイッチ３０４に通知する。また、携帯機器制御部３０８は、二次電池３１６の電池残量を測定し、その二次電池を充電するのに要する時間（充電所要時間）を算出し、算出した時間をSAM部に書き込む。電池残量の測定や充電所要時間の更新は、定期的に行われてもよいし、不定期的に行われてもよいし、何らかトリガに応じて行われてもよい。充電所要時間は、一例として、電池残量、充電速度及び充電所要時間等の所定の対応関係(テーブル)から導出されてもよい。或いは、何らかの数式を用いて充電所要時間が算出されてもよい。更には、そのような数式に使用されるパラメータの値がテーブルから導出されてもよい。
【００２２】
LEDバイブレータ３１０は、非接触通信中の状態であるか否かをユーザに視覚的に表示する。
【００２３】
整流器３１２は、アンテナ３０２から受信した電力を適切に整流する。
【００２４】
充電回路３１４は、整流後の電力を二次電池３１６に供給し、二次電池３１６を充電する。
【００２５】
二次電池３１６は、携帯電話機の各種処理要素に電力を供給する再充電可能な電池である。
【００２６】
図４は被充電器のメモリに被充電器情報が格納されている様子を模式的に示す。このメモリ内の情報へのアクセスは、自由に許可されてもよいし、何らかの相互認証後でしか許可されないようにしてもよい。被充電器情報をセキュアな領域に格納することは、例えば、被充電器が正規の充電器でしか充電できないようにし、充電動作の高度な安全性を保証する観点から好ましい。被充電器情報は、非接触通信用チップ３０６及び３２２に格納されてもよいし、そのようなチップ以外のメモリに記憶されてもよい。
【００２７】
図３の右側には充電器の機能要素が示されており、充電器は、非接触通信用アンテナ（開口面積大）３２２、非接触通信チップ３２４、被充電器情報読取部３２６、アンテナ位置データ格納部３２８、充電用アンテナ位置データ格納部３３０、充電用アンテナ判定部３３２、充電用アンテナ制御部３３４、スイッチ回路３３６−１〜N、非接触充電用アンテナ（開口面積小）３３８−１〜N、給電部３４０、充電所要時間格納部３４２、充電時間カウント部３４４、モード制御部３４６を含む。
【００２８】
非接触通信用アンテナ（開口面積大）３２２は、非充電モードで被充電器（携帯電話機等）と非接触通信を行うのに使用される。典型的には、携帯電話機の受電アンテナの位置情報や充電所要時間等を示す情報が、この非接触通信用アンテナを介して被充電器から充電器に通知される。
【００２９】
非接触通信チップ３２４は、そのような非接触通信のための信号処理を行う。
【００３０】
被充電器情報読取部３２６は、被充電器から受信した受信信号から、受電アンテナの位置情報や、充電所要時間を示す情報等のような被充電器情報を抽出する。被充電器情報読取部３２６は、被充電器情報を被充電器から読み取る前に、被充電器が被充電器情報を充電器に送信するべきことを被充電器に指示してもよい。被充電器情報は被充電器のメモリに記憶されている。
【００３１】
アンテナ位置データ格納部３２８は、被充電器情報の一例である受電アンテナの位置情報を格納する。
【００３２】
充電用アンテナ位置データ格納部３３０は、充電器の充電用アンテナ（給電アンテナ）の位置情報を格納している。充電器には、複数個の給電アンテナ３３８−１〜Nが備わっており、それら各々の位置を特定する情報が充電用アンテナ位置データ格納部３３０に格納されている。
【００３３】
充電用アンテナ判定部３３２は、受電アンテナの位置と複数の給電アンテナの位置とを比較し、複数の給電アンテナの内、充電に使用するのに相応しい１つ以上の給電アンテナを特定又は選択する。選択された給電アンテナの位置情報は、充電用アンテナ制御部３３４に通知される。
【００３４】
充電用アンテナ制御部３３４は、通知された給電アンテナの位置情報に従ってスイッチ回路３３６−１〜Nを制御し、選択された給電アンテナがアクティブになり、他の給電アンテナがディセーブルになるようにする。
【００３５】
スイッチ回路３３６−１〜Nは、充電用アンテナ制御部３３４からの制御に応じて、各自に対応する充電用アンテナをONに又はOFFにする。
【００３６】
より具体的には、充電用アンテナ制御部３３４は、充電用アンテナ選択信号を受信すると、モード切替信号を出力し、充電器の動作モードを非接触通信モードから充電モードに切り替える。そして、充電用アンテナ選択信号で指定されている給電アンテナに対応するスイッチをONにする。
【００３７】
非接触充電用アンテナ（開口面積小）３３８−１〜Nは、給電に使用される可能性のある複数の給電アンテナであり、これらの内の１つ以上が実際に充電に使用される。どの給電アンテナが実際の充電に使用されるかは、被充電器の受電アンテナの位置に応じて、充電用アンテナ制御部３３４により指示される。
【００３８】
給電部３４０は、アクティブに設定された給電アンテナに電力を供給する。
【００３９】
充電所要時間格納部３４２は、被充電器からの受信信号から抽出した充電所要時間情報を格納する。
【００４０】
充電時間カウント部３４４は、充電開始の後、充電所要時間が経過した場合に、充電が終了すべきことを充電用アンテナ制御部３３４に通知する。この通知に応じて、充電用アンテナ制御部３３４は、給電アンテナによる給電が止まるように、スイッチ回路を制御する。そして、充電用アンテナ制御部３３４はモード切替信号を出力し、動作モードを充電モードから非接触通信モードに切り替える。時間のカウントは、外部のリアルタイムクロックと割り込みタイマーで行ってもよいし、或いはCPU内蔵のタイマーで簡易に行ってもよい。
【００４１】
充電開始後、充電所要時間の経過を確認する充電時間カウント部３４４は、図示のように充電器に備わっていてもよいし、被充電器に備わっていてもよいし、双方に備わっていてもよい。
【００４２】
モード制御部３４６は被充電器の動作モードが充電モードであるか或いは非接触通信モードであるかを制御する。
【００４３】
図５は本発明の一実施例による充電システムで行われる動作例を示す。例えば携帯電話機である被充電器は、ステップSA1で、二次電池の電池残量を定期的に確認する。例えば被充電器は、定期的に二次電池の電池残量から、充電に要する時間（充電所要時間）を導出する。充電所要時間は、一例として、電池残量、充電速度及び充電所要時間等の所定の対応関係(テーブル)から導出されてもよい。最新の充電所要時間を示す情報はメモリに書き込まれる。
【００４４】
ステップSB1では、充電器側から適切なポーリング等を行うことで、非接触通信の通信相手の存否が定期的に判定される。
【００４５】
ステップSB2,SA2に示されるように、非接触通信の通信相手が存在した場合、充電器から被充電器へ、被充電器情報の取得要求信号が送信される。この信号に応じて、被充電器はメモリに記載されている最新の被充電器情報を充電器へ送信する。上述したように、被充電器情報は、受電アンテナの位置情報及び充電所要時間等を含む。
【００４６】
ステップSB3では、非接触通信により有意な被充電器情報が取得できたか否かが充電器で判定される。取得できなかった場合、フローはステップSB3からSB1に戻り、非接触通信相手のサーチが再度行われる。取得できた場合、フローはステップSB4に進む。
【００４７】
ステップSB4では、充電に実際に使用するアンテナ(充電アンテナ又は給電アンテナ)をどれにすべきかが決定される。この決定は、受電アンテナの位置情報及び1つ以上の給電アンテナの位置情報に基づいて行われる。
【００４８】
図６は、ステップSB4で給電アンテナを選択する様子を詳細に示す。説明の便宜上、N個の充電用アンテナ（給電アンテナ）１〜Nが用意されていたとする。給電アンテナ及び受電アンテナは、四角の開口を有するコイル状アンテナで構成され、４つの頂点座標の組で規定される。便宜上、受電アンテナのX座標はA1,A2で示されY座標はB1,B2で示され、給電アンテナのX座標はX1,X2で示されY座標はY1,Y2で示され、何れも原点からの距離で表現されるものとする。受電アンテナの座標は図３のアンテナ位置データ格納部３２８に格納され、給電アンテナの座標は充電用アンテナ位置データ格納部３３０に格納され、これらが充電用アンテナ判定部３３２で比較される。
【００４９】
ステップS1に示されるように、ある充電用アンテナのX座標と受電アンテナのX座標の大小関係が判定される。給電アンテナのX座標両端に挟まれる範囲が受電アンテナのX座標両端に挟まれる範囲に含まれていた場合、その給電アンテナは実際に使用されるアンテナ候補になり、フローはステップS2に進む。そうでなければ、フローはステップS4に進み、次の給電アンテナが指定される。
【００５０】
ステップS2では、給電アンテナのY座標両端に挟まれる範囲が受電アンテナのY座標両端に挟まれる範囲に含まれているか否かが確認される。確認結果が肯定的であったならば（Yes）、フローはステップS3に進み、その給電アンテナは実際に充電に使用されるアンテナとして選択される。そしてフローはステップS4に戻り、未判定の給電アンテナを特定し、説明済みの動作を反復する。ステップS2で確認結果が否定的であった場合（No）は、その給電アンテナは実際の充電に使用されるアンテナ候補から落選し、フローはステップS4に進む。以上の動作を全ての給電アンテナ１〜Nについて反復することで、条件に合致する1つ以上の給電アンテナが特定又は選択される。図６の例では、X座標の大小関係が確認された後にY座標が確認されているが、この順序は逆でもよいし、同時に行われてもよい。
【００５１】
図７は、充電用アンテナ(給電アンテナ)５及び８が条件に合致して選択された様子を示す。図示の例では、受電アンテナの位置は、(A1,A2,B1,B2)=(10,30,10,20)[mm]である。給電アンテナ５の位置は、(X1,X2,Y1,Y2)=(10,20,10,20) [mm]であり、給電アンテナ８の位置は、(X1,X2,Y1,Y2)=(20,30,10,20) [mm]である。
【００５２】
図５のステップSB5では、ステップSB4で給電アンテナが決定されたことに応じて、モード切替信号が充電器から被充電器へ通知される。充電器でも動作モードは非接触通信モードから充電モードに切り替えられる。
【００５３】
ステップSA3では動作モードの変更通知に応じて、被充電器の動作モードが非接触通信モードから充電モードに切り替えられる。
【００５４】
ステップSB6では、選択された１つ以上の給電アンテナ及び受電アンテナを介して充電が行われる。充電器では充電所要時間の経過が検出できるように、計時が開始される。以後、充電所要時間が経過すると、ステップSB7で、電力の給電が停止され、充電が終了する。なお、この計時の開始は、被充電器が充電器に何らかの信号を送信したことに応じてなされてもよい。例えば、ステップSB5でモード切替信号が充電器から被充電器に通知された後、被充電器から充電器へ何らかの応答信号が返され、それに応じて充電時間の計時が開始されてもよい。例えば、被充電器がR/W機能を利用して充電開始指令信号を充電器に書き込んだことに応じて、充電器での充電所要時間の計時が開始されてもよい。
【００５５】
被充電器では、ステップSA4で充電中にユーザによる何らかの操作の有無が監視される。例えば充電中であってもユーザの意向によって充電が中断されるかもしれない（例えば、何らかのキー操作や、蓋の開閉操作等がそれらのトリガになるかもしれない。）。或いは、充電開始後、被充電器でタイマーで充電所要時間の経過を計時し、被充電器が自発的に充電を止めてもよい。ステップSA5では、充電の終了に応じて被充電器の動作モードが充電モードから非接触通信モードに切り替えられる。
【００５６】
上記の説明では、受電及び／又は給電アンテナは四角い開口を有するコイル状アンテナで構成されていたが、このことは本発明に必須ではなく、別の形状が使用されてもよい。例えば円環状のコイルアンテナが使用されてもよい。複数の給電アンテナは全て同一形状であるように図示されてきたが、複数の給電アンテナには形状や寸法の異なるアンテナかが含まれていてもよい。但し、どのコイルによっても囲まれない面積を少なくする観点からは、四角い開口を有する同一形状の多数のコイルアンテナがアレイ状に整列していることが好ましい（例えば、円形コイルでアレイを形成すると、円形コイル同士の間の隙間は、どのコイルによっても囲まれない無駄な領域になってしまう。）。
【００５７】
本発明の実施例によれば、受電アンテナの位置を示す情報が被充電器から充電器に通知され、それに相応しい給電アンテナが充電器で選択され、充電が行われる。このため、高効率な充電が簡易に実行可能になり、これは利便性向上の観点から特に好ましい。従来は受電及び給電アンテナの位置合わせを手間を掛けて精密に行わなければならなかったが、本実施例ではそのような複雑な手順は不要である。
【００５８】
本発明の実施例では、動作モードが充電モード及び非接触通信モード(非充電モード)間で切り替えられ、非接触通信用の無線信号の復調、点灯表示、バイブレータ等が適切に停止される。これは、消費電力の低減を図り、充電効率の向上を図る観点から好ましい。
【００５９】
以上本発明が特定の実施例を参照しながら説明されてきたが、実施例は単なる例示に過ぎず、当業者は様々な変形例、修正例、代替例、置換例等を理解するであろう。発明の理解を促すため具体的な数値例を用いて説明されたが、特に断りのない限り、それらの数値は単なる一例に過ぎず適切な如何なる値が使用されてもよい。本発明は上記実施例に限定されず、本発明の精神から逸脱することなく、様々な変形例、修正例、代替例、置換例等が本発明に包含される。
【図面の簡単な説明】
【００６０】
【図１】本発明の一実施例で使用される充電システムの概略図を示す。
【図２Ａ】充電システムの概略底面図を示す。
【図２Ｂ】携帯電話機の搭載面と充電器の座標軸との関係を示す図である。
【図３】本発明の一実施例による充電システムの機能ブロック図を示す。
【図４】被充電器情報がメモリに格納されている様子を模式的に示す図である。
【図５】本発明の一実施例による充電システムで行われる動作例のフローチャートである。
【図６】給電アンテナを選択する様子を示す図である。
【図７】給電アンテナが選択された様子を示す図である。
【符号の説明】
【００６１】
３０２  非接触通信／充電共用アンテナ
３０４  充電／通信切り替えスイッチ
３０６  非接触通信チップ
３０８  携帯機器制御部
３１０  LEDバイブレータ
３１２  整流器
３１４  充電回路
３１６  二次電池
３２２  非接触通信用アンテナ（開口面積大）
３２４  非接触通信チップ
３２６  被充電器情報読取部
３２８  アンテナ位置データ格納部
３３０  充電用アンテナ位置データ格納部
３３２  充電用アンテナ判定部
３３４  充電用アンテナ制御部
３３６−１〜N  スイッチ回路
３３８−１〜N  非接触充電用アンテナ（開口面積小）
３４０  給電部
３４２  充電所要時間格納部
３４４  充電時間カウント部
３４６  モード制御部
【図１】
2008312294.tif 000003
【図２Ａ】
2008312294.tif 000004
【図２Ｂ】
2008312294.tif 000005
【図３】
2008312294.tif 000006
【図４】
2008312294.tif 000007
【図５】
2008312294.tif 000008
【図６】
2008312294.tif 000009
【図７】
2008312294.tif 000010